(57)【要約】【課題】運動傷害保護装置を提供する。【解決手段】  本発明の運動傷害保護装置は、プロテクタ本体を含み、該プロテクタ本体は、冷温湿布装置及び連結装置を含み、該冷温湿布装置は、貯水袋、循環装置及び熱電冷却チップを含み、該循環装置は、貯水袋及び熱電冷却チップに接続し、該貯水袋の水を循環装置内で循環流動させ、該熱電冷却チップにより循環装置内で流動する水の温度を変化させる。本発明は、使用者の身体に縛り付け、折り曲げて貼り付けて覆い、冷別湿布の効果を提供することができ、且つ血液循環を促進し、人体の筋肉をほぐす効果を有し、使用者を振動によってマッサージして脂肪を燃焼し、身体に発熱発汗の効果を達成する【選択図】図１
2017074195.tif 000002
【特許請求の範囲】
【請求項１】
プロテクタ本体を含み、
該プロテクタ本体は、冷温湿布装置及び連結装置を含み、
該冷温湿布装置は、貯水袋、循環装置及び熱電冷却チップを含み、該循環装置は、貯水袋及び熱電冷却チップに接続し、該貯水袋の水を循環装置内で循環流動させ、該熱電冷却チップにより循環装置内で流動する水の温度を変化させる運動傷害保護装置。
【請求項２】
前記冷温湿布装置が更に給水モータ、温度制御器、温度センサ、ＩＣ回路組、給電部材を含み、該給水モータは、循環装置及び熱電冷却チップに接続し、該温度制御器及び温度センサは、ＩＣ回路組と電気接続し、また、該ＩＣ回路組は、給電部材と電気接続し、更に放熱部材を有し、熱電冷却チップの一側に接続し、該プロテクタ本体外側にスイッチ及び温度調節スイッチを設け、該スイッチは、ＩＣ回路組と電気接続し、該温度調節スイッチは、温度制御器と電気接続し、該スイッチがオンになる時、該ＩＣ回路組により給水モータを制御し、循環装置により貯水袋の水を吸引し、該熱電冷却チップによって水の温度を変化させた後、該循環装置により貯水袋内に戻し、且つ該温度センサにより循環装置内の水温を検出し、温度調節スイッチにより温度制御器を調節し、ＩＣ回路組により熱電冷却チップに調整温度を伝達し、該循環装置内の水エネルギーを要求に従って温度を変化させ、且つ該放熱部材は、熱電冷却チップが発生する熱エネルギーを吸収することができる請求項１に記載の運動傷害保護装置。
【請求項３】
前記プロテクタ本体内に更に複数の振動モータを設け、該複数の振動モータが循環装置の相反側に設けられ、ＩＣ回路組と電気接続され、更に、該複数の振動モータの一側にそれぞれ相互に対応する複数のクッションを設ける請求項２に記載の運動傷害保護装置。
【請求項４】
前記接続装置が面ファスナーフック面と面ファスナーループ面を含み、該面ファスナーフック面と面ファスナーループ面を互いに組み合わせる請求項３に記載の運動傷害保護装置。
【請求項５】
前記プロテクタ本体は、更に開口を設ける請求項１乃至請求項４の何れか１項に記載の運動傷害保護装置。
【請求項６】
前記開口は、更にチェーンを設け、該チェーン両端にそれぞれファスナーヘッドを設け、各ファスナーヘッドが、相対的に接近、離脱して開口の開閉を形成する請求項５に記載の運動傷害保護装置。
【発明の詳細な説明】
【技術分野】
【０００１】
本発明は、運動傷害保護装置に関し、特に、使用者の身体に縛り付け、折り曲げて貼付して覆い、冷温湿布効果を提供することができる運動傷害保護装置に関する。
【背景技術】
【０００２】
現在、労働作業に従事する作業者にとって、重たい物を長期にわたって運搬することにより、その手部及び腰等の部位に損傷を招き、更に、オフィスに長時間座って事務処理等の静態作業に従事する作業者にとって、座った姿勢が不適切であることによって、その腰等の部位の損傷を招き、また、レクリエーション運動の普及によって、現代人は、しばしば余暇時間に各運動に従事しているが、運動過程で、往々にして一時の不注意や過度な運動により身体各部位の運動傷害を招き、従って人々が作業、運動又は平常の労働で身体の各部位の損傷を招く時、しばしばプロテクタを使用して傷害を受けた部位を縛り、傷害を受けた部位のサポートを提供し、医療、ヘルスケアの効果を達成する。
【０００３】
しかしながら、冷温湿布は、人体の各部位の不快時に最もよく利用される治療方法であり、例えば、人体の肩、首、胸、背、腰、腹、腕、肘、膝、足首、足等の箇所は、何れも冷湿布又は温湿布により不快感を緩和することができ、医療過程でも常用の治療方式であり、運動による筋肉痛、打撲損傷、腫れ、血の巡りが悪くなる等の症状は、何れも冷湿布又は温湿布により不快感を緩和する効果を達成することができる。
【０００４】
更に、市場において、多くの関連するプロテクタがあり、例えば、中華民国特許公告第Ｍ５０３２０６号「温熱ベルト」は、温熱ベルトの電熱部を電源に電気接続し、電源が出力する電流が第１導体及び第２導体を経て発熱体に流れ、発熱体により電気エネルギーを熱エネルギーに変化させることにより、安定した発熱の目的を達成している。この特許の温熱ベルトは、ただ電源が出力する電流を第１導体及び第２導体を介して発熱体に流し、発熱体により電気エネルギーを熱エネルギーに変化させることのみ可能であり、温湿布の効果のみを達成し、冷温湿布の２種の効果を達成することはできず、従って、使用者が冷湿布の効果を要する場合は、別途冷湿布効果のある製品を購入する必要があり、使用者に別途消費を増加させる。
【０００５】
上記の状況に鑑み、本発明者は、多くの時間を関連知識の研究に投じ、各項の優劣を比較し、関連製品の研究及び開発を行い、多数回の実験及びテストを経て、ようやく「運動傷害保護装置」を開発し、上記欠陥を改善し、大衆の需要に適合させている。
【先行技術文献】
【特許文献】
【０００６】
【特許文献１】実開平６−３６６３８号公報
【発明の概要】
【発明が解決しようとする課題】
【０００７】
本発明の目的は、使用者の身体に縛り付け、折り曲げて貼り付けて覆い、冷別湿布の効果を提供することができ、且つ血液循環を促進し、人体の筋肉を和らげる効果を得ることができる運動傷害保護装置を提供することにある。
【０００８】
本発明のもう１つの目的は、使用者の身体に縛り付け、折り曲げて貼り付けて覆い、冷別湿布の効果を提供することができ、使用者を振動によってマッサージして脂肪を燃焼し、身体に発熱発汗の効果を達成することができる運動傷害保護装置を提供することにある。
【課題を解決するための手段】
【０００９】
上記の目的及び効果を達成する為、本発明が提供する運動傷害保護装置は、プロテクタ本体を含み、該プロテクタ本体は、冷温湿布装置及び連結装置を含み、該冷温湿布装置は、貯水袋、循環装置及び熱電冷却チップを含み、該循環装置は、貯水袋及び熱電冷却チップに接続し、該貯水袋の水を循環装置内で循環流動させ、該熱電冷却チップにより循環装置内で流動する水の温度を変化させる。
【００１０】
本発明の更なる技術特徴は、該冷温湿布装置が更に給水モータ、温度制御器、温度センサ、ＩＣ回路組、給電部材を含み、該給水モータは、循環装置及び熱電冷却チップに接続し、該温度制御器及び温度センサは、ＩＣ回路組と電気接続し、また、該ＩＣ回路組は、給電部材と電気接続し、更に放熱部材を有し、熱電冷却チップの一側に接続し、該プロテクタ本体外側にスイッチ及び温度調節スイッチを設け、該スイッチは、ＩＣ回路組と電気接続し、該温度調節スイッチは、温度制御器と電気接続し、該スイッチがオンになる時、該ＩＣ回路組により給水モータを制御し、循環装置により貯水袋の水を吸引し、該熱電冷却チップによって水の温度を変化させた後、該循環装置により貯水袋内に戻し、且つ該温度センサにより循環装置内の水温を検出し、温度調節スイッチにより温度制御器を調節し、ＩＣ回路組により熱電冷却チップに調整温度を伝達し、該循環装置内の水エネルギーを要求に従って温度を変化させ、且つ該放熱部材は、熱電冷却チップが発生する熱エネルギーを吸収することができることである。
【００１１】
本発明の更なる技術特徴は、該プロテクタ本体内に更に複数の振動モータを設け、該複数の振動モータが循環装置の相反側に設けられ、ＩＣ回路組と電気接続され、更に、該複数の振動モータの一側にそれぞれ相互に対応する複数のクッションを設けることである。
【００１２】
本発明の更なる技術特徴は、該接続装置が面ファスナーフック面と面ファスナーループ面を含み、該面ファスナーフック面と面ファスナーループ面を互いに組み合わせることである。
【００１３】
本発明の更なる技術特徴は、該プロテクタ本体は、更に開口を設けることである。
【００１４】
本発明の更なる技術特徴は、該開口は、更にチェーンを設け、該チェーン両端にそれぞれファスナーヘッドを設け、各ファスナーヘッドが、相対的に接近、離脱して開口の開閉を形成することである。
【発明の効果】
【００１５】
本発明の運動傷害保護装置は、使用者の身体に縛り付け、折り曲げて貼り付けて覆い、冷別湿布の効果を提供することができ、且つ血液循環を促進し、人体の筋肉を和らげる効果を得ることができる。
【図面の簡単な説明】
【００１６】
【図１】本発明の透視説明図である。
【図２】本発明の側面透視説明図である。
【図３】本発明の立体組み合わせ説明図である。
【図４】本発明のリングバインダが肘を覆う使用状態説明図である。
【図５】本発明のリングバインダが膝を覆う使用状態説明図である。
【図６】本発明のリングバインダが腰部を覆う使用上状態説明図である。
【図７】本発明の第２実施例のプロテクタ本体に開口を設けた説明図である。
【図８】本発明の第２実施例のリングバインダが肩部を覆う使用状態説明図である。
【図９】本発明の第２実施例のリングバインダが膝を覆う使用状態説明図である。
【図１０】本発明の第３実施例の開口にチェーン及びファスナーヘッドを設けた説明図である。
【図１１】本発明の第３実施例のリングバインダは、肩部を覆う使用状態説明図である。
【図１２】本発明の第３実施例のリングバインダは、肘を覆う使用状態説明図である。
【発明を実施するための形態】
【００１７】
本発明が上記の目的及び効果を達成できることを明確に説明する為、図面を合わせて本発明の実施例についてその特徴及び効果を詳細に説明する。図１〜図６に示すように、運動傷害保護装置は、プロテクタ本体１００を含み、該プロテクタ本体１００は、冷温湿布装置１及び接続装置２を含む。該冷温湿布装置１は、貯水袋１１、循環装置１２及び熱電冷却チップ１３を含み、該循環装置１２は、貯水袋１１及び熱電冷却チップ１３に接続し、該貯水袋１１の水を循環装置１２内で循環流動させ、該熱電冷却チップ１３により循環装置１２内で流動する水の温度を変化させる。
【００１８】
使用者が本発明を使用する時、先ず、該プロテクタ本体１００を人体の不快な部位（例えば、肩、首、胸、腰、腹、腕、肘、膝、踵、足等の部位）に縛り付け、該接続装置２によりプロテクタ本体１００を身体の不快な部位に固定支持し、該プロテクタ本体１００内の冷温湿布装置１によりその部位に対して冷湿布又は温湿布を行い、且つ該温熱湿布装置１の循環装置１２は、熱電冷却チップ１３によって使用者の要求に応じて水の温度を変化させ、その身体の不快な部位に対して冷湿布又は温湿布を行い、且つ該循環装置１２は、貯水袋１１及び熱電冷却チップ１３を接続し、且つ該循環装置１２は、貯水袋１１及び熱電冷却チップ１３に接続し、貯水袋１１内の水を循環装置１２内で循環流動させ、熱電冷却チップ１３により水温を調整し、使用者の要求に適合する。
【００１９】
図１〜図３に示すように、該冷熱湿布装置１は、給水モータ１４、温度制御器１５、温度センサ１６、ＩＣ回路組１７及び給電部材１８を更に含み、該給水モータ１４は、循環装置１２及び熱電冷却チップ１３に接続し、該温度制御器１５及び温度センサ１６は、ＩＣ回路組１７と電気接続し、また、該ＩＣ回路組１７は、給電部材１８と電気接続し、更に放熱部材３を有し、熱電冷却チップ１３の一側に接続し、該プロテクタ本体１００外側にスイッチ４及び温度調節スイッチ５を設け、該スイッチ４は、ＩＣ回路組１７と電気接続し、該温度調節スイッチ５は、温度制御器１５と電気接続し、使用者が該スイッチ４をオンにする時、該ＩＣ回路組１７により給水モータ１４を制御し、循環装置１２により貯水袋１１の水を吸引し、該熱電冷却チップ１３によって水の温度を変化させた後、該循環装置１２により貯水袋１１内に戻し、且つ使用者が該温度センサ１６により循環装置１２内の水温を検出することができ、温度調節スイッチ５により温度制御器１５を調節し、ＩＣ回路組１７により熱電冷却チップ１３に信号を伝達して水の温度を調整し、該循環装置１２内の水エネルギーを要求に従って温度を変化させ、且つ該放熱部材３は、熱電冷却チップ１３が発生する熱エネルギーを吸収することができることである。
【００２０】
図１〜図３に示すように、どのような運動に従事する時であっても、先ずウォーミングアップの準備を行い、身体機能を伸ばした状態にし、特に、プロスポーツ選手にとって、試合前のウォーミングアップ運動は、自己を保護する相当重要な事前準備であり、選手が控室で休憩、命令待ち又は退場後の休憩時に、身体の筋肉を最適な状態に保持したり、身体の筋肉を緊張状態からゆっくりとほぐしたりするため、先ず本発明を接続装置２により身体の休める必要がある部位（肩、首、胸、腰、腹、腕、肘、膝、踵、足）（図４〜図６参照）に巻き付け、冷熱湿布装置１の給水モータ１４により循環装置１２を経由して貯水袋１１の水を吸引し、且つ選手の適時の要求に従って、該熱電冷却チップ１３により水の温度を変化させた後、該循環装置１２により貯水袋１１内に戻し、且つ該温度センサ１６により循環装置１２内の水温を検出し、該ＩＣ回路組１７により温度制御器１５に伝達し、熱電冷却チップ１３を制御して選手の適時の要求に従って温度調整を行い、該循環装置１２内の水エネルギーに要求に応じて温度を変化させる。
【００２１】
また、提示すべきこととして、本発明は、更に、実用性の効果を有し、図１及び図２に示すように、該プロテクタ本体１００内に複数の振動モータ１９を更に設け、該複数の振動モータ１９は、循環装置１２の相反側に設けられ、ＩＣ回路組１７と電気接続し、更に、該複数の振動モータ１９の一側に相互に対応する複数のクッション９を設け、使用者が本発明を冷湿布又は温湿布を欲する部位に縛り付ける時、この部位に冷温湿布を行うことができる以外に、振動モータ１９によりこの部位に振動を行い、マッサージの効果を達成し、人体内の新陳代謝を促進し、使用者に振動マッサージによって脂肪燃焼を達成させ、身体に発熱発汗の効果を達成させ、各クッション９の設置は、振動モータ１９の振動時の緩衝効果を提供し、振動モータ１９が施す振動力が強すぎて使用者に影響を及ぼすことを回避し、且つ各クッション９の設置は、使用者に装着マッサージ時に更に快適にさせることができる。
【００２２】
図３に示すように、該接続装置２は、面ファスナーフック面２１及び面ファスナーループ面２２を含み、該面ファスナーフック面２１と面ファスナーループ面２２は互いに結合し、使用者が身体の傷害部位に対してサポート、固定を行いたい時、本発明をその傷害部位に巻き付け、該面ファスナーフック面２１を面ファスナーループ面２２に対応結合させ、その傷害部位の固定及びサポートを提供する（図４〜図６参照）。
【００２３】
図７を参照し、該プロテクタ本体１００は、更に開口６を設け、該開口６は、使用者に本発明を使用して身体の肩、肘、膝等部位に縛り付ける時、プロテクタ本体１００上の開口６を関節に被せ設け、使用者の関節箇所をプロテクタ本体１００から露出させることができ、滑動時の関節全体を覆うことにより、使用者の活動に影響を及ぼすことがない（図８及び図９参照）。
【００２４】
図１０を参照し、該開口６は、チェーン７を更に設け、該チェーン７両端にそれぞれファスナーヘッド８を設け、各ファスナーヘッド８は、相対して接近、離脱し、開口６の開閉を形成し、使用者が本発明を身体に縛り付ける時、ある時は、身体上の関節のある部位（例えば、肩、肘、膝等の部位）を覆い、この時、使用者は、該チェーン７上のファスナーヘッド８を覆う部位に対応して両端へ引くことができ、該開口６をその覆う部位に対応して適合する大きさの位置まで調整することができ、使用者が覆われる間接部位をプロテクタ本体１００から露出させ、使用者に滑動時にプロテクタ本体１００全体が間接部位を覆って平常時の活動に影響を及ぼすことがない（図１１及び図１２参照）。
【００２５】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００２６】
１００  プロテクタ本体
１  冷温湿布装置
１１  貯水袋
１２  循環装置
１３  熱電冷却チップ
１４  給水モータ
１５  温度制御器
１６  温度センサ
１７  ＩＣ回路組
１８  給電部材
１９  振動モータ
２  接続装置
２１  面ファスナーフック面
２２  面ファスナーループ面
３  放熱部材
４  スイッチ
５  温度調節スイッチ
６  開口
７  チェーン
８  ファスナーヘッド
９  クッション
【図１】
2017074195.tif 000003
【図２】
2017074195.tif 000004
【図３】
2017074195.tif 000005
【図４】
2017074195.tif 000006
【図５】
2017074195.tif 000007
【図６】
2017074195.tif 000008
【図７】
2017074195.tif 000009
【図８】
2017074195.tif 000010
【図９】
2017074195.tif 000011
【図１０】
2017074195.tif 000012
【図１１】
2017074195.tif 000013
【図１２】
2017074195.tif 000014